【手続補正書】
【提出日】平成27年8月19日(2015.8.19)
【手続補正１】
【補正対象書類名】特許請求の範囲
【補正対象項目名】全文
【補正方法】変更
【補正の内容】
【特許請求の範囲】
【請求項１】
記録媒体にインクを吐出するための第１ノズル列および第２ノズル列であって所定方向に配列された第１ノズル列および第２ノズル列を有する記録ヘッドと、
前記所定方向に前記記録ヘッドを走査させる走査手段と、
前記記録媒体上の前記所定方向における複数の位置のそれぞれについて、前記第１ノズル列から吐出されたインクの記録位置と前記第２ノズル列から吐出されたインクの記録位置との間の前記所定方向でのズレ量を示す第１情報を取得する第１取得手段と、
前記記録ヘッドに、前記第１ノズル列からインクを吐出することにより前記記録媒体上に第１距離検出用パターンを記録させ、前記第２ノズル列からインクを吐出することにより前記第１距離検出用パターンから前記所定方向にずれた位置に第２距離検出用パターンを記録させる記録制御手段と、
前記第１距離検出用パターンおよび前記第２距離検出用パターンに基づいて前記第１距離検出用パターンの記録位置と前記第２距離検出用パターンの記録位置と間の距離を示す第２情報を取得する第２取得手段と、
前記第１取得手段により取得された前記第１情報および前記第２取得手段により取得された前記第２情報に基づいて、前記第１取得手段により取得された前記第１情報を用いて前記第２取得手段により取得された前記第２情報が示す前記第１距離検出用パターンの記録位置と前記第２距離検出用パターンの記録位置との間の距離を補正することにより、前記走査手段による走査における前記第１ノズル列と前記第２ノズル列との間のインクの吐出の相対的なタイミングを決定する決定手段と、を備える
ことを特徴とする記録装置。
【請求項２】
前記第１情報は、
前記所定方向における前記記録ヘッドと前記記録媒体との間の距離の変動情報と、
前記所定方向における前記記録ヘッドの姿勢の変動情報と、
前記記録媒体にインクで記録する際の前記所定方向における前記記録媒体の表面状態の変動情報と、
のうちの一つを含む
ことを特徴とする請求項１に記載の記録装置。
【請求項３】
記録媒体にインクを吐出するための第１ノズル列および第２ノズル列であって所定方向に配列された第１ノズル列および第２ノズル列を有する記録ヘッドと、
前記所定方向に前記記録ヘッドを走査させる走査手段と、
前記第１ノズル列からインクを吐出することにより前記記録媒体上に第１距離検出用パターンを記録し、前記第２ノズル列からインクを吐出することにより前記第１距離検出用パターンから前記所定方向とは交差する方向にずれた位置に第２距離検出用パターンを記録する第１記録制御と、前記第１距離検出用パターンおよび前記第２距離検出用パターンの記録位置とは異なる記録位置に、前記第１ノズル列からインクを吐出することにより第１濃度検出用パターンを記録し、前記第２ノズル列からインクを吐出することにより第２濃度検出用パターンを記録する第２記録制御と、を前記記録ヘッドにより行う記録制御手段と、
前記第１距離検出用パターンおよび前記第２距離検出用パターンを読み取る第１読取制御と、前記第１濃度検出用パターンおよび前記第２濃度検出用パターンを読み取る第２読取制御とを行う読取制御手段と、
前記第１読取制御での読取結果に基づいて第２記録制御における前記第２ノズル列の間のインクの吐出のタイミングを取得する取得手段と、
前記第２読取制御での読取結果を用いて前記第１距離検出用パターンの記録位置と前記第２距離検出用パターンの記録位置との間の距離を補正することにより、前記走査手段による走査における前記第１ノズル列と前記第２ノズル列との間のインクの吐出の相対的なタイミングを決定する決定手段と、を備える
ことを特徴とする記録装置。
【請求項４】
前記第２記録制御では、前記第１濃度検出用パターンのドットと前記第２濃度検出用パターンのドットの重なり量が異なるように、前記第１濃度検出用パターンおよび前記第２濃度検出用パターンは前記所定方向に複数記録される
ことを特徴とする請求項３に記載の記録装置。
【請求項５】
記録装置の制御方法であって、
前記記録装置は、記録媒体にインクを吐出するための第１ノズル列および第２ノズル列であって所定方向に配列された第１ノズル列および第２ノズル列を有する記録ヘッドと、前記所定方向に前記記録ヘッドを走査させる走査手段とを備え、
前記記録装置の制御方法は、
前記記録媒体上の前記所定方向における複数の位置のそれぞれについて、前記第１ノズル列から吐出されたインクの記録位置と前記第２ノズル列から吐出されたインクの記録位置との間の前記所定方向でのズレ量を示す第１情報を取得する工程と、
前記記録ヘッドに、前記第１ノズル列からインクを吐出することにより前記記録媒体上に第１距離検出用パターンを記録させ、前記第２ノズル列からインクを吐出することにより前記第１距離検出用パターンから前記所定方向にずれた位置に第２距離検出用パターンを記録させる工程と、
前記第１距離検出用パターンおよび前記第２距離検出用パターンに基づいて前記第１距離検出用パターンの記録位置と前記第２距離検出用パターンの記録位置と間の距離を示す第２情報を取得する工程と、
前記第１情報および前記第２情報に基づいて、前記第１情報を用いて前記第１距離検出用パターンの記録位置と前記第２距離検出用パターンの記録位置との間の距離を補正することにより、前記走査手段による走査における前記第１ノズル列と前記第２ノズル列との間のインクの吐出の相対的なタイミングを決定する工程と、を有する
ことを特徴とする記録装置の制御方法。
【請求項６】
前記複数の位置のそれぞれについて前記記録ヘッドと前記記録媒体との間の距離を計測する読取手段を更に備え、
前記第１取得手段は、前記読取手段による計測結果に基づいて、前記複数の位置のそれぞれについての前記記録ヘッドと前記記録媒体との間の距離についての情報を前記第１情報として取得する
ことを特徴とする請求項１に記載の記録装置。
【請求項７】
前記第１ノズル列および前記第２ノズル列は互いに異なる色のインクドットを吐出する
ことを特徴とする請求項１に記載の記録装置。
【請求項８】
前記記録媒体上の前記所定方向における複数の位置のそれぞれについて前記記録ヘッドと前記記録媒体との間の距離を計測する読取手段を更に備え、
前記第１読取制御での読取結果は、前記複数の位置のそれぞれについて前記記録ヘッドと前記記録媒体との間の距離を含む
ことを特徴とする請求項３に記載の記録装置。
【請求項９】
前記第１ノズル列および前記第２ノズル列は互いに異なる色のインクドットを吐出する
ことを特徴とする請求項３に記載の記録装置。
【請求項１０】
前記第１取得手段は、前記第１情報を取得するために記録されたパターンに基づく前記第１情報を取得する
ことを特徴とする請求項１に記載の記録装置。
【請求項１１】
前記第１情報を格納するメモリを更に備え、前記第１情報は、前記記録装置の製造時に前記メモリに格納されたものであり、前記第１取得手段は、前記メモリに格納された前記第１情報を取得する
ことを特徴とする請求項１に記載の記録装置。
【請求項１２】
記録媒体にインクを吐出するための第１ノズル列および第２ノズル列であって所定方向に配列された第１ノズル列および第２ノズル列を有する記録ヘッドと、
前記所定方向に前記記録ヘッドを走査させる走査手段と、
前記記録媒体上の前記所定方向における複数の位置のそれぞれについて前記記録ヘッドと前記記録媒体との間の距離を示す第１情報を取得する第１取得手段と、
前記記録ヘッドに、前記第１ノズル列からインクを吐出することにより前記記録媒体上に第１距離検出用パターンを記録させ、前記第２ノズル列からインクを吐出することにより前記第１距離検出用パターンから前記所定方向にずれた位置に第２距離検出用パターンを記録させる記録制御手段と、
前記第１距離検出用パターンおよび前記第２距離検出用パターンに基づいて前記第１距離検出用パターンの記録位置と前記第２距離検出用パターンの記録位置と間の距離を示す第２情報を取得する第２取得手段と、
前記第１取得手段により取得された前記第１情報および前記第２取得手段により取得された前記第２情報に基づいて、前記第１取得手段により取得された前記第１情報を用いて前記第２取得手段により取得された前記第２情報が示す前記第１距離検出用パターンの記録位置と前記第２距離検出用パターンの記録位置との間の距離を補正することにより、前記走査手段による走査における前記第１ノズル列と前記第２ノズル列との間のインクの吐出の相対的なタイミングを決定する決定手段と、を備える
ことを特徴とする記録装置。
【請求項１３】
記録媒体にインクを吐出するための第１ノズル列および第２ノズル列であって所定方向に配列された第１ノズル列および第２ノズル列を有する記録ヘッドと、
前記所定方向に前記記録ヘッドを走査させる走査手段と、
前記記録媒体上の前記所定方向における複数の位置のそれぞれについて、前記第１ノズル列から吐出されたインクの記録位置と前記第２ノズル列から吐出されたインクの記録位置との間の前記所定方向でのズレ量を示す第１情報を取得する第１取得手段と、
前記記録ヘッドに、前記第１ノズル列からインクを吐出することにより前記記録媒体上に第１距離検出用パターンを記録させ、前記第２ノズル列からインクを吐出することにより前記第１距離検出用パターンから前記所定方向にずれた位置に第２距離検出用パターンを記録させる記録制御手段と、
前記第１距離検出用パターンおよび前記第２距離検出用パターンに基づいて前記第１距離検出用パターンの記録位置と前記第２距離検出用パターンの記録位置と間の距離を示す第２情報を取得する第２取得手段と、
前記第１取得手段により取得された前記第１情報および前記第２取得手段により取得された前記第２情報に基づいて、前記複数の位置の少なくとも１つについて、前記走査手段による走査における前記第１ノズル列と前記第２ノズル列との間のインクの吐出の相対的なタイミングを決定する決定手段と、を備える
ことを特徴とする記録装置。
【請求項１４】
前記決定手段は、前記第１取得手段により取得された前記第１情報および前記第２取得手段により取得された前記第２情報に基づいて、前記複数の位置のそれぞれについて、前記走査手段による走査における前記第１ノズル列と前記第２ノズル列との間のインクの吐出の相対的なタイミングを決定する
ことを特徴とする請求項１３に記載の記録装置。
【請求項１５】
前記決定手段は、前記第１取得手段により取得された前記第１情報および前記第２取得手段により取得された前記第２情報に基づいて、前記第１取得手段により取得された前記第１情報を用いて前記第２取得手段により取得された前記第２情報が示す前記第１距離検出用パターンの記録位置と前記第２距離検出用パターンの記録位置との間の距離を補正することにより、前記複数の位置の少なくとも１つについて、前記走査手段による走査における前記第１ノズル列と前記第２ノズル列との間のインクの吐出の相対的なタイミングを決定する
ことを特徴とする請求項１３に記載の記録装置。
【請求項１６】
前記決定手段により決定された前記インクの吐出の相対的なタイミングに基づいて、前記記録ヘッドに前記第１ノズル列および前記第２ノズル列を用いて前記記録媒体に画像を記録させる画像記録制御手段を更に備える
ことを特徴とする請求項１３に記載の記録装置。
【請求項１７】
前記複数の位置のそれぞれについて前記記録ヘッドと前記記録媒体との間の距離を計測する読取手段を更に備え、
前記第１取得手段は、前記読取手段による計測結果に基づいて、前記複数の位置のそれぞれについての前記記録ヘッドと前記記録媒体との間の距離についての情報を前記第１情報として取得する
ことを特徴とする請求項１３に記載の記録装置。
【請求項１８】
前記第１ノズル列および前記第２ノズル列は互いに異なる色のインクドットを吐出する
ことを特徴とする請求項１３に記載の記録装置。
【請求項１９】
前記第１取得手段は、前記第１情報を取得するために記録されたパターンに基づく前記第１情報を取得する
ことを特徴とする請求項１３に記載の記録装置。
【請求項２０】
前記第１情報を格納するメモリを更に備え、前記第１情報は、前記記録装置の製造時に前記メモリに格納されたものであり、前記第１取得手段は、前記メモリに格納された前記第１情報を取得する
ことを特徴とする請求項１３に記載の記録装置。
【請求項２１】
記録媒体にインクを吐出するためのノズル列を有する記録ヘッドと、
所定方向に前記記録ヘッドを走査させる走査手段と、
前記記録媒体上の前記所定方向における複数の位置のそれぞれについて、前記走査手段による往方向の走査において前記ノズル列から吐出されたインクの記録位置と、前記走査手段による復方向の走査において前記ノズル列から吐出されたインクの記録位置との間の前記所定方向でのズレ量を示す第１情報を取得する第１取得手段と、
前記記録ヘッドに、前記走査手段による前記往方向の走査において前記ノズル列からインクを吐出することにより前記記録媒体上に第１距離検出用パターンを記録させ、前記走査手段による前記復方向の走査において前記ノズル列からインクを吐出することにより前記第１距離検出用パターンから前記所定方向にずれた位置に第２距離検出用パターンを記録させる記録制御手段と、
前記第１距離検出用パターンおよび前記第２距離検出用パターンに基づいて前記第１距離検出用パターンの記録位置と前記第２距離検出用パターンの記録位置と間の距離を示す第２情報を取得する第２取得手段と、
前記第１取得手段により取得された前記第１情報および前記第２取得手段により取得された前記第２情報に基づいて、前記複数の位置の少なくとも１つについて、前記往方向の走査と前記復方向の走査との間での前記ノズル列のインクの吐出の相対的なタイミングを決定する決定手段と、を備える
ことを特徴とする記録装置。
【手続補正２】
【補正対象書類名】明細書
【補正対象項目名】０００９
【補正方法】変更
【補正の内容】
【０００９】
本発明の一つの側面は記録装置にかかり、前記記録装置は、記録媒体にインクを吐出するための第１ノズル列および第２ノズル列であって所定方向に配列された第１ノズル列および第２ノズル列を有する記録ヘッドと、前記所定方向に前記記録ヘッドを走査させる走査手段と、前記記録媒体上の前記所定方向における複数の位置のそれぞれについて、前記第１ノズル列から吐出されたインクの記録位置と前記第２ノズル列から吐出されたインクの記録位置との間の前記所定方向でのズレ量を示す第１情報を取得する第１取得手段と、前記記録ヘッドに、前記第１ノズル列からインクを吐出することにより前記記録媒体上に第１距離検出用パターンを記録させ、前記第２ノズル列からインクを吐出することにより前記第１距離検出用パターンから前記所定方向にずれた位置に第２距離検出用パターンを記録させる記録制御手段と、前記第１距離検出用パターンおよび前記第２距離検出用パターンに基づいて前記第１距離検出用パターンの記録位置と前記第２距離検出用パターンの記録位置と間の距離を示す第２情報を取得する第２取得手段と、前記第１取得手段により取得された前記第１情報および前記第２取得手段により取得された前記第２情報に基づいて、前記第１取得手段により取得された前記第１情報を用いて前記第２取得手段により取得された前記第２情報が示す前記第１距離検出用パターンの記録位置と前記第２距離検出用パターンの記録位置との間の距離を補正することにより、前記走査手段による走査における前記第１ノズル列と前記第２ノズル列との間のインクの吐出の相対的なタイミングを決定する決定手段と、を備えることを特徴とする。